(57)【要約】【課題】本発明は、炭入り紙封筒にバーコードなどの情報識別コードを付与しても、情報識別コードを機械読取り可能にすることと、炭入り紙を再度再利用し易くすることを課題とする。【解決手段】本発明は、少なくとも一部に炭入り紙を使用した封筒であって、破線状切り込みをいれた易切取部を設け、炭入り紙の一部または全面に情報識別コードを設けるための隠蔽部を設けたことを特徴とする炭入り紙封筒によって上記課題を解決した。【選択図】  図１
2013136392.tif 000002
【特許請求の範囲】
【請求項１】
少なくとも一部に炭入り紙を使用した封筒であって、該炭入り紙に破線状切り込みをいれた易切取部を設け、該易切取部の形状が靴の中敷の形状であることを特徴とする炭入り紙封筒。
【請求項２】
該易切取部の破線状切り込みの個々の切り込みがへの字形状をしており、への字の短辺部が切取開始部方向にあり、への字の長辺部が切取方向に向いており、
個々のへの字の長辺部の末端より隣接する個々のへの字の短辺部までを切断することにより、靴の中敷の形状に易切取部が切り取られることを特徴とする請求項１に記載の炭入り紙封筒。
【請求項３】
への字形状の切り込みの短辺部の向きが、切り取り方向に対して左右反転する箇所があることを特徴とする請求項１または請求項２に記載の炭入り紙封筒。
【請求項４】
炭入り紙の一部または全面に情報識別コードを設けるための隠蔽部を設けたことを特徴とする請求項１〜請求項３のいずれか１項に記載の炭入り紙封筒。
【請求項５】
該易切取部の内側に、異なるサイズの易切取部があることを特徴とする、請求項１〜請求項４のいずれか１項に記載の炭入り紙封筒。
【発明の詳細な説明】
【技術分野】
【０００１】
本発明は、炭入り紙封筒及び易切取部を有する炭入り封筒に関するものである。
【背景技術】
【０００２】
内容物を郵送するための封筒にはバーコードが付与されていることが多い。封筒にバーコードを付与する理由は、例えばシートもしくはシートを折り畳んだ状態の個人宛の封入物を封筒に封入する際、封入物の混入を防止するために，バーコードなどを用いて封入物に付加された番号を照合しながら封筒に封入物を封入する時に使用される。
あるいは、ダイレクトメール等の配送情報を顧客データへ反映させるための作業を簡便なものとし、効率的な顧客管理および物流管理ができるように、バーコード部分を切り離し自在に設けた封筒が考案されている。
【０００３】
さらに、書留郵便の取扱いにおいては、書留郵便物（書留封筒）の引受から配達に至るまでの記録を行い、もし、配達の途中において書留郵便物が忘失又は毀損した場合には、申出のあった損害要償額の全部又は一部を賠償することとされている。このため、書留郵便の追跡を容易にするために、書留郵便物にバーコードを付する制度が採用され、書留郵便物の種別、地域コード、区分コード、連続番号等がバーコードとして記録されるようになった。
【０００４】
一方、環境問題への関心の高まりから、これまではゴミとして廃棄されていたものを捨てずに再活用するという動きが見られるようになった。例えば、梅の種やコーヒーを注出した粕、ビール粕などを炭化して再生紙に抄き込んだ炭再生紙などが販売されている。この用紙は、炭の消臭、抗菌、調湿の効果や各種成分の吸着効果が知られている。
【０００５】
そのような炭入り紙を封筒にした場合、バーコードを付与しても紙に含有される炭が背景ノイズとしてあるため、機械読み取りに誤作動を生じる恐れがある。一方、炭入り紙は炭の持つ吸着機能を利用して再度の再利用する可能性もある。
【０００６】
一度使用した炭入り紙を再利用する場合、使用する用途の形状に切り取りやすくしてあると便利である。既に封筒やパッケージの分野において、破線状に切り込みを入れて開封を容易にすることは知られている（特許文献１）。
【先行技術文献】
【特許文献】
【０００７】
【特許文献１】特開２００２−５９９４０号公報
【発明の概要】
【発明が解決しようとする課題】
【０００８】
炭入り紙封筒にバーコードなどの情報識別コードを付与しても、情報識別コードを機械読取り可能にすることと、使用した封筒の炭入り紙を再度再利用し易くすることを課題とする。
【課題を解決するための手段】
【０００９】
第１の発明は、少なくとも一部に炭入り紙を使用した封筒であって、該炭入り紙に破線状切り込みをいれた易切取部を設け、該易切取部の形状が靴の中敷の形状であることを特徴とする炭入り紙封筒である。
【００１０】
第２の発明は、該易切取部の破線状切り込みの個々の切り込みがへの字形状をしており、への字の短辺部が切取開始部方向にあり、への字の長辺部が切取方向に向いており、個々のへの字の長辺部の末端より隣接する個々のへの字の短辺部までを切断することにより、靴の中敷の形状に易切取部が切り取られることを特徴とする、第１の発明に記載の炭入り紙封筒である。
【００１１】
第３の発明は、への字形状の切り込みの短辺部の向きが、切り取り方向に対して左右反転する箇所があることを特徴とする第１の発明または第２の発明に記載の炭入り紙封筒である。
【００１２】
第４の発明は、炭入り紙の一部または全面に情報識別コードを設けるための隠蔽部を設けたことを特徴とする、第１の発明〜第３の発明のいずれか一の発明に記載の炭入り紙封筒である。
【００１３】
第５の発明は、該易切取部の内側に、異なるサイズの易切取部があることを特徴とする、第１の発明〜第４の発明のいずれか一の発明に記載の炭入り紙封筒である。
【発明の効果】
【００１４】
本発明によれば、再生資源の炭を含有する炭入り紙を使用した封筒でも、封筒に設けた情報識別コードを機械で読み取ることができる。また使用済の封筒の炭入り紙を再利用することができる。
【図面の簡単な説明】
【００１５】
【図１】本発明の１実施態様の封筒の展開図
【図２】本発明の１実施態様の封筒の展開図
【図３】本発明の１実施態様の封筒とその展開図
【図４】ジッパーミシン目の形状図
【図５】ジッパーミシン目の部分拡大図
【図６】靴の中敷状のジッパーミシン目の部分拡大説明図
【図７】本発明の１実施例のジッパーミシン目の部分拡大図
【発明を実施するための形態】
【００１６】
本発明の第１の態様は、少なくとも一部に炭入り紙を使用した封筒であって、該炭入り紙に破線状切り込みをいれた易切取部を設け、該易切取部の形状が靴の中敷の形状であることを特徴とする炭入り紙封筒である。
【００１７】
第２の態様は、該易切取部の破線状切り込みの個々の切り込みがへの字形状をしており、への字の短辺部が切取開始部方向にあり、への字の長辺部が切取方向に向いており、個々のへの字の長辺部の末端より隣接する個々のへの字の短辺部までを切断することにより、靴の中敷の形状に易切取部が切り取られることを特徴とする、第１の態様に記載の炭入り紙封筒である。
【００１８】
第３の態様は、への字形状の切り込みの短辺部の向きが、切り取り方向に対して左右反転する箇所があることを特徴とする第１の態様または第２の態様に記載の炭入り紙封筒である。
【００１９】
第４の態様は、炭入り紙の一部または全面に情報識別コードを設けるための隠蔽部を設けたことを特徴とする第１の態様〜第３の態様のいずれか一の態様に記載の炭入り紙封筒である。
【００２０】
第５の態様は、該易切取部の内側に、異なるサイズの易切取部があることを特徴とする、第１の態様〜第４の態様のいずれか一の態様に記載の炭入り紙封筒である。
【００２１】
封筒には、形状により、長形、角形、洋形の形状があり、さまざまな寸法の封筒が販売されている。また、郵便規則に基く定形外、定形内の形状がある。また、１枚の紙より製袋する封筒の貼り方には、中貼、左横貼、左逆横貼、右横貼、右横逆横貼、内カマス貼、外カマス貼、ダイヤモンド貼などがあり、本発明の封筒でもいずれの形状も可能である。
さらには丁合方式で図１、図２のように炭入り紙を単独または、別紙と貼り合わせて封筒とすることができる。
【００２２】
本発明において口糊を封筒のフラップに設けることも可能であり、アラビア糊加工、タック加工、ファインタック加工が可能である。また、セロ窓加工、プラ窓加工、窓抜き加工をした窓付き封筒にもすることができる。
【００２３】
情報識別コードを設ける隠蔽部の位置は特に指定はないが、封筒の下部または上部の目立たない箇所に設けると良い。隠蔽部は印刷インキによる印刷、あるいは隠蔽性のあるシールを貼ることにより設けることができる。隠蔽性のあるシールを用いる場合、シールを貼った後に情報識別コードを設けても良いし、予めシール上に情報識別コードを設けておいて、封筒に貼ってもよい。
【００２４】
情報識別コードを機械読み取り可能にする隠蔽部を形成する隠蔽インキは、グラビアインキ、オフセットインキ、スクリーン印刷インキなどで、各印刷方式により炭入り紙上に隠蔽部が形成される。
【００２５】
隠蔽インキは、例えば酸化チタンなどの隠蔽性の高い顔料をバインダー中に分散したもので、市販されている各種インキの中から選択して使用しても良い。
【００２６】
情報識別コードには、二次元バーコードやＱＲコード(登録商標)、ОＣＲ番号などが利用できる。
情報識別コードは、インクジェット方式やワックス転写方式などの各種プリンターで記録できる。
【００２７】
本発明に使用する炭入り紙は、炭の消臭、抗菌、調湿や各種成分の吸着効果が知られている。この消臭、吸着効果を利用して使用済の封筒より靴の中敷形状に炭入り紙を切り出して、この炭入り紙を靴に敷いて保管することにより靴用の消臭グッズとして再利用することができる。封筒を使用した後で、容易に中敷形状に切り取れると利用者にも使いやすくなる。
【００２８】
紙や箱を容易に開封する手段としてジッパーミシン目を設けることが知られている。例えば図４には、狭い紐状に切り取るジッパーミシン目１１や、比較的広い範囲を開封するジッパーミシン目１２を例示している。いずれも引き裂き開始部１を引っ張ることにより、への字状の切り込みに従って順次紙を引き裂くことで開封されることになる。
【００２９】
しかしながら、開封しやすいジッパーミシン目の形状については検討されているが、本発明のように、特定の形状で従来のジッパーミシン目では切取が難しい形状にこの技術を利用することは考えられていなかった。
【００３０】
開封の手段における引き裂きの状況を説明するため、図４の３０で囲った部分を拡大したのが図５である。への字形状の切り込みは、への字短辺部２ａと、への字長辺部２ｂにより構成されている。２２の矢印は引き裂きの力が加えられる方向で、この方向はへの字長辺部２ｂの切り込みと平行である。この時への字の長辺部２ｂの切り込みの端から、隣接するへの字の短辺部３ａの切り込みの方向、すなわち２３ｃの矢印の方向に紙が引き裂かれ、次のへの字の切込みに連続して引き裂きが進むことができる。
【００３１】
しかしながら特定の形状を切り取るための、図２のような靴の中敷形状の４０で囲った曲線部分の切り込みでは、先の３０の部分そのままではうまく切り取ることはできない。図６に４０で囲った部分の拡大説明図を示す。矢印２２の方向に引き裂きの力が加わると、８番目の切り込みのヘの字の長辺部８ｂの端部から、引き裂きの力は矢印８９ｃの方向に加わり、隣接するヘの字形状の切り込みの短辺部９ａに引き裂き部が届かなくなり、継続してうまく引き裂くことができなくなる。
【００３２】
この現象は、切取方向に対してＳ字状にジッパーミシン目があったり、切り取りする形状の幅が一定ではなく瓢箪型にくびれた部分がある場合に生じる現象である。複雑な形状をしたジッパーミシン目では、への字の短辺部の向きが全切断部分に渡って同方向ではうまく切り取りできないことがわかる。
【００３３】
このようにジッパーミシン目の切り込みが切取方向に対して左右に移動する場合、への字の切り込みの短辺部の向きを左右反転させることにより上記の課題を解決できる。図７に示すごとく９番目の切り込みの短辺部の向きを９ａ'のように隣接する８ａの短辺部の向きと反対にすることにより、８ｂからの切り裂き切断部は９ａ'と９ｂにつながり、継続して切り取りできることがわかる。
【実施例】
【００３４】
（１）封筒の作成
山陽製紙株式会社製の炭再生紙を図１のように２つに折り返し、長辺両側に糊を塗布して貼り合せて、折り返した用紙の長さを一方だけ長くしてフラップ部を設けることで封筒を作成することができる。あるいは図２のように炭入り紙と他の用紙を向かい合わせ、コの時状に３辺に糊を塗布して貼り合せて、どちらか１辺を長くしてフラップ部を設けて封筒を作成することができる。
あるいは、図３の１０５のように炭入り紙を切り抜いて破線のように折って糊貼りすることにより図３の１０４の中貼り封筒を作成することができる。
【００３５】
（２）隠蔽部の作成
隠蔽部は情報識別コードが書き込めるシールを貼ることで設けることができる。あるいは、印刷インキで、例えば酸化チタンを含有するインキで所望の箇所に印刷することで隠蔽部を設けることができる。この時、炭入り紙の炭素の光学吸収濃度を充分に隠蔽できる厚みと遮蔽性が必要であり、インキの厚みや紙の厚みを通した透過濃度が１．８以上であればよい。
【００３６】
（３）ジッパーミシン目の作成
ジッパーミシン目は、封筒を貼って製袋する前の段階で設ける必要がある。木型に刃を植えた抜き型を用いて、紙に押し当てて加圧することにより、所望のジッパーミシン目を設けることができる。靴の中敷状に抜く際に形状がくびれる箇所で、への字形状の切り込みの短辺部の向きを左右反転した刃を植えた抜き型を使用する。
【００３７】
また、切取部の内部に一回り小さな切取部を設けることにより、靴のサイズに合せて切取サイズが調節できる。
【００３８】
炭入り紙に、靴の中敷状に易切取部を設けた炭入り紙を製袋し、隠蔽部を設けて本発明の炭入り紙封筒を作成した。
【産業上の利用可能性】
【００３９】
炭入りの紙の封筒を使用することにより、環境問題に対する貢献を社会にアピールできる。またその封筒も再利用できることも相俟って、いろいろな会社に採用されることが期待できる。
【符号の説明】
【００４０】
１０１：糊塗布部
１０２：隠蔽部
１０３：靴の中敷形状のミシン目
１０４：１実施態様の封筒
１０５：１実施態様の封筒の展開図
１：引き裂き開始部
１１：ジッパーミシン目
１２：ジッパーミシン目
２２：切取方向
３０：ジッパーミシン目１２の拡大部
２ａ：への字切り込みの短辺部
２ｂ：への字切り込みの長辺部
３ａ：への字切り込みの短辺部
３ｂ：への字切り込みの長辺部
２３ｃ：引き裂き応力の方向
４０：１実施態様のミシン目の拡大部
８ａ：への字切り込みの短辺部
８ｂ：への字切り込みの長辺部
９ａ：への字切り込みの短辺部
９ｂ：への字切り込みの長辺部
８９ｃ：引き裂き応力の方向
９ａ'：への字切り込みの短辺部
【図１】
2013136392.tif 000003
【図２】
2013136392.tif 000004
【図３】
2013136392.tif 000005
【図４】
2013136392.tif 000006
【図５】
2013136392.tif 000007
【図６】
2013136392.tif 000008
【図７】
2013136392.tif 000009